(57)【要約】【課題】断熱効率、遮音効率等が良好で、既設ガラスを用いて簡易的に構築可能な二重構造ガラスを提供することを課題とする。【解決手段】既設ガラス６と、既設ガラス６に取り付ける透光性を有する取付パネル８と、既設ガラス６と取付パネル８の間に介挿されるスペーサ１１とを備え、スペーサ１１によって既設ガラス６と取付パネル８の間の空間を囲繞して既設ガラス６と取付パネル８の間に断熱層となる空気層Ｌを形成した二重構造ガラスにおいて、既設ガラス６と取付パネル８との外周縁における対向面と、スペーサ１１の外周面とにより囲まれた位置に形成される隙間Ｓを充填剤１２によって充填して前記空気層Ｌの気密性を補う。【選択図】図２
0003134047.tif 000002
【実用新案登録請求の範囲】
【請求項１】
既設ガラス（６）と、既設ガラス（６）に取り付ける透光性を有する取付パネル（８）と、既設ガラス（６）と取付パネル（８）の間に介挿されるスペーサ（１１）とを備え、スペーサ（１１）によって既設ガラス（６）と取付パネル（８）の間の空間を囲繞して既設ガラス（６）と取付パネル（８）の間に断熱層となる空気層（Ｌ）を形成した二重構造ガラスにおいて、既設ガラス（６）と取付パネル（８）との外周縁における対向面と、スペーサ（１１）の外周面とにより囲まれた位置に形成される隙間（Ｓ）を充填剤（１２）によって充填して前記空気層（Ｌ）の気密性を補う二重構造ガラス。
【請求項２】
スペーサ（１１）を帯状に形成した請求項１の二重構造ガラス。
【請求項３】
スペーサ（１１）と取付パネル（８）とを互いの当接面で接着させることにより取付パネル（８）に対してスペーサ（１１）を固定した請求項１又は２の二重構造ガラス。
【請求項４】
取付パネル（８）を、厚みが既設ガラス（６）と異なるように形成した請求項１，２又は３の二重構造ガラス。
【請求項５】
既設ガラス（６）のフレーム（３）の内周に取付パネル（８）を挿入固定した請求項１，２，３又は４の二重構造ガラス。
【請求項６】
取付パネル（８）の外周を覆う取付フレーム（９）の外周下部と、既設ガラス（６）のフレーム（３）の内周下部とにより形成される隙間に支持部材（１４）を介挿して取付パネル（８）を支持した請求項５の二重構造ガラス。
【請求項７】
既設ガラス（６）のフレーム（３）の内周面と、取付パネル（８）の外周を覆う取付フレーム（９）の外周面とを接着固定した請求項５又は６の二重構造ガラス。
【請求項８】
一方が取付パネル（８）に沿い、他方が既設ガラス（６）側に突出するアングル状の取付フレーム（９）により取付パネル（８）の外周を覆い、取付フレーム（９）の内周面と、既設ガラス（６）と取付パネル（８）との外周縁における対向面と、スペーサ（１１）の外周面とにより形成される隙間（Ｓ）に充填剤（１２）を充填した請求項１，２，３，４，５，６又は７の二重構造ガラス。
【請求項９】
スペーサ（１１）を弾力性を有する部材で構成し、該スペーサ（１１）を既設ガラス（６）に押圧した請求項８の二重構造ガラス。
【請求項１０】
スペーサ（１１）と既設ガラス（６）とを、互いの当接面で接着固定した請求項８又は９の二重構造ガラス。
【請求項１１】
外周縁を挟みむようにして取り付けられるチャネル状の取付フレーム（９）により、取付パネル（８）の外周を覆い、取付フレーム（９）の内周面と、取付パネル（８）の既設ガラス（６）との対向面と、スペーサ（１１）の外周面とにより形成される隙間（Ｓ）を充填剤（１２）によって充填した請求項１，２，３，４，５，６又は７の二重構造ガラス。
【考案の詳細な説明】
【技術分野】
【０００１】
本考案は、断熱性や遮音性等に優れた二重構造ガラスに関する。
【背景技術】
【０００２】
２枚のガラス板の間に気密性の高い空気層を形成して断熱性や遮音性を向上させるペアガラス等の二重構造ガラスが公知となっているが、上記二重ガラスは、専用のフレーム（サッシ）が必要になる他、既設のガラスをフレームごと取り外さなければならないため、製造コストや設置コストが高くなってしまうという問題があった。
【０００３】
上記問題を改善するため、既設ガラスと、既設ガラスに取り付ける透光性を有する取付パネルと、既設ガラスと取付パネルの間に介挿されるスペーサとを備え、スペーサによって既設ガラスと取付パネルの間の空間を囲繞して既設ガラスと取付ガラスの間に断熱層となる空気層を形成した特許文献１に示す二重構造ガラスが公知となっている。
【特許文献１】特開２００４−７６５４５号公報
【考案の開示】
【考案が解決しようとする課題】
【０００４】
上記特許文献１の二重構造ガラスは、一重構造の既設ガラスに後から取付パネルを取り付けることができるため、製造コストや設置コストを低く抑えることができる一方で、スペーサと既設ガラスとの間やスペーサと取付パネルとの間等に形成される隙間によって、既設ガラスと取付パネルとの間の空気層の密閉性が十分に確保されず、断熱効率や遮音効率が低下することがあるという欠点を有する。
本考案は、上記課題を解決し、断熱効率、遮音効率等が良好で、既設ガラスを用いて簡易的に構築可能な二重構造ガラスを提供することを目的とする。
【課題を解決するための手段】
【０００５】
上記課題を解決するために後付け二重ガラスは、第１に、既設ガラス６と、既設ガラス６に取り付ける透光性を有する取付パネル８と、既設ガラス６と取付パネル８の間に介挿されるスペーサ１１とを備え、スペーサ１１によって既設ガラス６と取付パネル８の間の空間を囲繞して既設ガラス６と取付パネル８の間に断熱層となる空気層Ｌを形成した二重構造ガラスにおいて、既設ガラス６と取付パネル８との外周縁における対向面と、スペーサ１１の外周面とにより囲まれた位置に形成される隙間Ｓを充填剤１２によって充填して前記空気層Ｌの気密性を補うことを特徴としている。
【０００６】
第２に、スペーサ１１を帯状に形成したことを特徴としている。
【０００７】
第３に、スペーサ１１と取付パネル８とを互いの当接面で接着させることにより取付パネル８に対してスペーサ１１を固定したことを特徴としている。
【０００８】
第４に、取付パネル８を、厚みが既設ガラス６と異なるように形成したことを特徴としている。
【０００９】
第５に、既設ガラス６のフレーム３の内周に取付パネル８を挿入固定したことを特徴としている。
【００１０】
第６に、取付パネル８の外周を覆う取付フレーム９の外周下部と、既設ガラス６のフレーム３の内周下部とにより形成される隙間に支持部材１４を介挿して取付パネル８を支持したことを特徴としている。
【００１１】
第７に、既設ガラス６のフレーム３の内周面と、取付パネル８の外周を覆う取付フレーム９の外周面とを接着固定したことを特徴としている。
【００１２】
第８に、一方が取付パネル８に沿い、他方が既設ガラス６側に突出するアングル状の取付フレーム９により取付パネル８の外周を覆い、取付フレーム９の内周面と、既設ガラス６と取付パネル８との外周縁における対向面と、スペーサ１１の外周面とにより形成される隙間Ｓに充填剤１２を充填したことを特徴としている。
【００１３】
第９に、スペーサ１１を弾力性を有する部材で構成し、該スペーサ１１を既設ガラス６に押圧したことを特徴としている。
【００１４】
第１０に、スペーサ１１と既設ガラス６とを、互いの当接面で接着固定したことを特徴としている。
【００１５】
第１１に、外周縁を挟みむようにして取り付けられるチャネル状の取付フレーム９により、取付パネル８の外周を覆い、取付フレーム９の内周面と、取付パネル８の既設ガラス６との対向面と、スペーサ１１の外周面とにより形成される隙間Ｓを充填剤１２によって充填したことを特徴としている。
【考案の効果】
【００１６】
以上のように構成される本考案の二重構造ガラスによれば、スペーサと既設ガラスとの間やスペーサと取付パネルとの間に形成される隙間が、充填剤によって充填されて塞がれるため、空気層の気密性が高まり、断熱効率や遮音効率が向上するという効果がある。
【考案を実施するための最良の形態】
【００１７】
以下図示する本考案の実施形態について説明する。図１〜５は本考案の二重構造ガラスの第１実施形態を示し、図６及び７は第２実施形態を示している。まず、第１実施形態について説明する。二重構造ガラスは、図１及び２に示すように、本体部１と、該本体部１に取り付けられる取付部２とから構成される。
【００１８】
本体部１は、上下に伸びる方形状に枠組みしたフレーム３（サッシ）の内周に形成される固定溝４内に、既設ガラス６の外周がパッキン７を介して挿入固定されている。
【００１９】
取付部２は、透明な取付ガラス８（取付パネル）と、該取付ガラス８の外周を覆う取付フレーム９（取付サッシ）とを備えている。取付フレーム９は、外周面が上記フレーム３の内周面に沿って近接した状態で上記フレーム３内周に挿入されるような形状及び大きさに成形された断面視略Ｌ字形のアングル状部材である。なお、取付パネル８は、共振を防止して遮音効果を高めるため、既設ガラス６と異なる厚みに形成（本実施例では既設ガラス６に対して厚みが薄くなるように形成）することが望ましい他、材料としてはガラス以外に透視可能な透光性を有する部材であれば、合成樹脂性等のパネルを用いてもよい。
【００２０】
取付フレーム９をアングル状に形成する２片のうちの一方が取付ガラス８の外周縁における既設ガラス６と対向しない側の面と当接する当接片９ａとなり、他方が取付ガラス８に対して略垂直方向に既設ガラス６側へ突出した突出片９ｂとなる。そして、該突出片９ｂの内側が取付ガラス８の外周面（外周面を形成する端面）に当接した状態で、当接片９ａを取付ガラス８に両面テープや接着剤等で接着固定する。
【００２１】
取付ガラス８の既設ガラス６との対向面には、帯状のスペーサ１１が設けられている。該スペーサ１１は、弾力性を有するゴム材や合成樹脂材等からなり、取付ガラス８の４辺に沿って方形状に配置されており、スペーサ１１と突出片９ｂとの間には取付ガラス８の４辺に沿う方形状の隙間Ｓが形成されている。そして、スペーサ１１の断面形状は略長方形状に成形されており、一端側の面（基端面）が取付ガラス８の既設ガラス６との対抗面に接着材や両面テープ等で強固に固定されて、他端側の面（先端面）が既設ガラス６側に突出している。
【００２２】
本体部１に取付部２を取り付けていない状態では、上記スペーサ１１が上記突出片９ｂよりも既設ガラス６側に突出し（図５参照）、突出片９ｂの先端を既設ガラス６に当接させて本体部１のフレーム３内周に取付部２を挿入固定すると、スペーサ１１の先端が既設ガラス６によって押圧され、既設ガラス６と取付ガラス８との間に、スペーサ１１によって囲繞される気密性の高い空気層Ｌが形成される。該空気層Ｌは、気密性が高いため、断熱層の役割を果たしガラス面の結露を防止する他、遮音効率も高い。さらに、隙間Ｓは全体に亘り充填剤１２によって充填されるため、空気層Ｌの密閉性はさらに向上する。該充填剤１２の材料は、ペアガラス等で用いられる従来公知のものであり、詳細は割愛する。
【００２３】
次に、取付部２の組立手段について詳述する。図３に示すように、取付フレーム９を４辺に分割形成した状態で、各取付フレーム９を取付ガラス８の対応する各辺に固着して組み付けた後、スペーサ１１を４辺に分割形成した状態で、各スペーサ１１を対応する各片に固着して組み付ける。
【００２４】
この状態の取付部２は、図４に示すように全体として略額縁形状をなし、取付ガラス８と取付フレーム９とスペーサ１１とが一体的に接合され、スペーサ１１と突出片９ｂとの間に隙間Ｓが形成された状態になる。そして、この隙間Ｓに、充填剤１２を充填して乾燥硬化させることにより、取付部２の組立が完了する。なお、取付フレーム９とスペーサ１１は、以上のように各辺毎に分割形成して組み付ける他、各辺を一体的に形成して構成することもできる。
【００２５】
次に、取付部２の本体部１への取付手段について詳述する。スペーサ１１の先端面全体に両面テープを貼った状態又は接着剤を塗布した状態で、図５に示すように本体部１のフレーム３の内周に取付部２全体を挿入すると、スペーサ１１の先端面が既設ガラス６における取付ガラス８の取付面に当接して固着される。
【００２６】
上記状態で、取付部２をさらに深く挿入すると、図２に示すように、取付部２の取付フレーム９の突出片９ｂの先端が、既設ガラス６における取付ガラス８の取付面側に当接し、既設ガラス６の取付ガラス８を取り付ける側の面とフレーム３の内周面とにより形成される空間が、取付部２により略過不足なく充填された状態になる。
【００２７】
上記状態で、フレーム３の内周と、取付フレーム９の外周との間に生じる隙間から接着剤１３を流入して、充填剤１２と既設ガラス６、フレーム３内周と取付フレーム９外周等を接着することにより、本体部１に取付部２を強固に固定せしめる。この際、図１で示すように、本体部１のフレーム３の内周下部と、取付部２の取付フレーム９の外周下部との間に、略直方体形状の支持部材１４を複数個（本実施例では２個）設置する。
【００２８】
該支持部材１４によって、自重による取付部２の下方移動が規制され、本体部１のフレーム３の内周上部と、取付部２の取付フレーム９の外周上部との間に大きな隙間が形成されることが防止されるため、本体部１のフレーム３の内周上部への取付部２の取付フレーム９の外周上部の接着固定が容易になる他、自重により本体部１に対して取付部２の位置がずれることが防止される。
【００２９】
なお、流入される接着剤１３によって、充填剤１２と既設ガラス６との間やフレーム３内周と取付フレーム９外周との間に形成される隙間が充填されるため、前述した空気層Ｌの気密性はさらに向上する。
【００３０】
また、本体部１に取付部２を取り付けた状態では、充填剤１２によって充填される隙間Ｓが、スペーサ１１の外周面と、突出片９ｂと、取付ガラス８の外周縁における既設ガラス６との対向面と、既設ガラス６の外周縁における取付ガラス８との対向面とに囲まれた状態になる。
【００３１】
以上のように構成される本考案の二重構造ガラスによれば、スペーサ１１及び取付フレーム９の突出辺９ｂの既設ガラス６側への突出幅を調整することにより、二重構造ガラスの厚みを自由に変更することができる。
【００３２】
また、取付パネル８として強化ガラス、耐熱ガラス、断熱効率の高いローイガラス等を用い、既設ガラス６に必要に応じて色々な機能を付加することができる。
【００３３】
また、既設ガラスの室内側の面に取付ガラス８を取付可能なので、高層ビル等の高所に設置されたガラスでも、容易に二重構造ガラスにすることができる。
【００３４】
さらに、本実施例の二重構造ガラスは、取付ガラス８、取付フレーム９及び充填剤１２等の材料費のみで、既設のガラスを二重構造ガラスにすることができるため、材料費を安く抑えることが可能になる。
【００３５】
以上、取付フレーム９がアングル状の部材である例につき説明したが、図６及び７は、取付フレーム９がチャネル状の部材である本考案の第２実施形態の二重構造ガラスの例につき示している。以下、本考案の第２実施形態に関し、第１実施形態の二重構造ガラスと異なる部分について説明する。
【００３６】
取付部２の取付フレーム９は、前述した当接片９ａ及び突出片９ｂと、突出片９ｂの先端から内側に延設され、既設ガラス１０への取付面が形成された取付片９ｃとにより構成された断面視略コ字形のチャネル状部材であり、当接片９ａ及び取付片９ｃによって取付ガラス８の外周縁を挟み込むようにして、突出片９ｂが取付ガラス８の外周面と当接し、取付ガラス８の外周をカバーしている。
【００３７】
また、スペーサ１１の先端面は、接着剤や両面テープによって、上記取付片９ｃの内面側に固着される。このため、突出片９ｂの内面と、取付片９ｃの内面と、スペーサ１１の外周面と、取付ガラス８の既設ガラス６との対向面とによって隙間Ｓが形成され、該隙間Ｓが充填剤１２によって充填される。
【００３８】
取付部２の本体部１への固定は、取付フレーム９の取付片９ｃの外側面を、既設ガラス６における取付ガラス９の取付面側に押圧して接着剤や両面テープによって固着するとともに、取付フレーム９の外周面とフレーム３の内周面との間に生じる隙間から接着剤を流入することにより行う。
【００３９】
上記構成からなる取付部２は、取付フレーム９が取付ガラス８の外周縁部分を十分に補強して保護するとともに、スペーサ１１や充填剤１２が、取付フレーム９にカバーされ、本体部１への取付時において既設ガラス６における取付ガラス８の取付面と反対側の面から直接視認できなくなるため、見栄えが良くなるという利点がある。
【図面の簡単な説明】
【００４０】
【図１】本考案の第１実施形成に係る二重構造ガラスの全体正面図である。
【図２】本考案の第１実施形成に係る二重構造ガラスの側断面図である。
【図３】本考案の第１実施形成に係る取付部の分解斜視図である。
【図４】本考案の第１実施形成に係る取付部の斜視図である。
【図５】本考案の第１実施形成に係る本体部取り付け前の取付部の側断面図である。
【図６】本考案の第２実施形態に係る取付部の斜視図である。
【図７】本考案の第２実施形態に係る本体部取り付け前の取付部の側断面図である。
【符号の説明】
【００４１】
３  フレーム（サッシ）
６  既設ガラス
８  取付ガラス（取付パネル）
９  取付フレーム（取付サッシ）
１１  スペーサ
１２  充填剤
１４  支持部材
Ｌ  空気層
Ｓ  隙間
【図１】
0003134047.tif 000003
【図２】
0003134047.tif 000004
【図３】
0003134047.tif 000005
【図４】
0003134047.tif 000006
【図５】
0003134047.tif 000007
【図６】
0003134047.tif 000008
【図７】
0003134047.tif 000009